(57)【特許請求の範囲】
【請求項１】
シャッターカーテン(1)と、このシャッターカーテン(1)を巻き取る巻取軸(2)と、この巻取軸(2)を回転できるように連結しているブラケット(3)と、前記巻取軸(2)を駆動してシャッターカーテン(1)を巻き取り、また繰り出す駆動機構(4)と、巻取軸(2)から繰り出されるシャッターカーテン(1)の両側に設けられて、シャッターカーテン(1)を上下方向にガイドする一対のガイドレール(5)と、前記巻取軸(2)に巻き取られるシャッターカーテン(1)の横ずれを防止する横ずれ防止機構(6)とを備えるシャッター装置であって、
前記巻取軸(2)は、シャッターカーテン(1)を巻き取る巻取筒(10)と、この巻取筒(10)の両端に巻取筒(10)と同軸に固定されて、ブラケット(3)に回転できるように連結してなる回転軸(11)とを備え、この回転軸(11)が前記駆動機構(4)に連結されて、巻取筒(10)を回転する構造としており、
さらに、前記横ずれ防止機構(6)は、前記巻取筒(10)の外周面に沿う形状であって、巻取筒(10)の軸方向に延びる分割ライン(23)で分割されたカバー筒(20)と、各々のカバー筒(20)の一端部に固定してなる鍔プレート(21)とからなり、
前記カバー筒(20)の対向する分割ライン(23)に、巻取筒(10)の軸方向には移動できるが、半径方向には移動できない係止構造(24)を設けており、一方のカバー筒(20)が前記巻取筒(10)に固定されて、他方のカバー筒(20)が係止構造(24)で巻取筒(10)に固定され、
前記カバー筒(20)が前記巻取筒(10)の端部に固定されて、シャッターカーテン(1)の横ずれを防止する鍔プレート(21)を巻取筒(10)に固定してなるシャッター装置。
【請求項２】
カバー筒(20)が円筒を２分割してなる半円筒状で、このカバー筒(20)に固定してなる鍔プレート(21)が半円形で、２分割されたカバー筒(20)が巻取筒(10)に固定される状態で、半円形の鍔プレート(21)が両端部で連結されてなる請求項１に記載されるシャッター装置。
【請求項３】
前記鍔プレート(21)が両端の連結部で互いに積層され、積層部(21B)が止ネジ(22)で固定されてなる請求項１又は２に記載されるシャッター装置。
【請求項４】
前記カバー筒(20)を貫通し、かつ前記巻取筒(10)にねじ込まれてなる止ネジ(25)を介して、前記カバー筒(20)が巻取筒(10)に固定されてなる請求項１ないし３のいずれかに記載されるシャッター装置。
【請求項５】
前記カバー筒(20)を貫通し、かつ巻取筒(10)の表面を押圧する止ネジ(25)を介して前記カバー筒(20)が巻取筒(10)に固定されてなる請求項１ないし３のいずれかに記載されるシャッター装置。
【発明の詳細な説明】
【技術分野】
【０００１】
本発明は複数のスラットを連結してなるシャッターカーテンを巻取軸に巻き取るようにしているシャッター装置に関し、とくに、シャッターカーテンを構成しているスラットの横ずれを防止しながら巻取軸に巻き取ることができるシャッター装置に関する。
【背景技術】
【０００２】
シャッター装置は、巻取軸をモータなどの駆動機構で回転させて、シャッターカーテンをガイドレールに沿って上下に移動させる。巻取軸にシャッターカーテンを巻き取ってシャッターを開き、シャッターカーテンを巻取軸から繰り出してガイドレールに沿って降下させてシャッターを閉じる。この状態で使用されるシャッター装置は、シャッターカーテンを巻取軸に巻き取りできるように、複数のスラットを折曲できる構造で連結している。この構造のシャッターカーテンは、上下に移動させるときに、上下に連結しているスラットの横方向のずれが原因で、ガイドレールを擦って大きな騒音が発生する。この欠点を解消するために、巻取軸に巻き取られるスラットの横ずれを防止する構造を備えるシャッター装置が開発されている。（特許文献１参照）
【先行技術文献】
【特許文献】
【０００３】
【特許文献１】特開２０１０−１５６１１５号公報
【発明の概要】
【発明が解決しようとする課題】
【０００４】
特許文献１のシャッター装置の横ずれ防止機構を図１に示している。この横ずれ防止機構９１は、巻取軸９２の回転軸９４に鍔プレート９５を固定している。鍔プレート９５は、回転軸９４を挿通する貫通孔９５Ａを中心に設けている。鍔プレート９５を固定するために、回転軸９４の外側にボス部材９６を固定して、ボス部材９６の外側に巻取筒９３を固定し、ボス部材９６の側面９６Ａに、ビス等で円盤状の鍔プレート９５を固定している。この横ずれ防止機構９１は、鍔プレート９５を固定するために、巻取軸９２を極めて複雑な構造とする必要がある。また、巻取軸９２を特殊な構造に改造し、さらに、円盤状の鍔プレート９５を固定するために、巻取軸９２の端部を分解する必要があるので、既存のシャッター装置を改造して、横ずれ防止機構を装備できない欠点がある。さらに、鍔プレートを巻取筒の外側にある狭い隙間に配置するので、鍔プレートの固定位置を、巻取軸の軸方向に移動して最適な位置に調整するのが難しい欠点もある。
【０００５】
本発明は、以上の欠点を解決することを目的に開発されたものである。本発明の重要な目的は、極めて簡単な構造としながら、簡単かつ容易に、しかも既存のシャッター装置を改造して横ずれ防止機構を設けることができ、さらに横ずれ防止機構の鍔プレートを最適な位置に固定してシャッターカーテンを構成するスラットの横ずれを理想的な状態で解消できるシャッター装置を提供することにある。
【課題を解決するための手段及び発明の効果】
【０００６】
本発明のシャッター装置は、シャッターカーテン１と、このシャッターカーテン１を巻き取る巻取軸２と、この巻取軸２を回転できるように連結しているブラケット３と、巻取軸２を駆動してシャッターカーテン１を巻き取り、また繰り出す駆動機構４と、巻取軸２から繰り出されるシャッターカーテン１の両側に設けられて、シャッターカーテン１を上下方向にガイドする一対のガイドレール５と、巻取軸２に巻き取られるシャッターカーテン１の横ずれを防止する横ずれ防止機構６とを備えている。巻取軸２は、シャッターカーテン１を巻き取る巻取筒１０と、この巻取筒１０の両端に巻取筒１０と同軸に固定されて、ブラケット３に回転できるように連結してなる回転軸１１とを備え、この回転軸１１を駆動機構４に連結して、巻取筒１０を回転する構造としている。さらに、横ずれ防止機構６は、巻取筒１０の外周面に沿う形状であって、巻取筒１０の軸方向に延びる分割ライン２３で分割されたカバー筒２０と、各々のカバー筒２０の一端部に固定してなる鍔プレート２１とからなり、カバー筒２０を巻取筒１０の端部に固定して、シャッターカーテン１の横ずれを防止する鍔プレート２１を巻取筒１０に固定している。
【０００７】
以上のシャッター装置は、横ずれ防止機構を極めて簡単な構造としながら、簡単かつ容易に、しかも既存のシャッター装置を改造して、シャッターカーテンの横ずれを防止する機構を設けることができ、さらに横ずれ防止機構の鍔プレートを最適な位置に固定してシャッターカーテンを構成するスラットの横ずれを理想的な状態で解消できる特徴がある。それは、鍔プレートを分割されたカバー筒を介して巻取軸の巻取筒の端部に固定するからである。
【０００８】
本発明のシャッター装置は、カバー筒２０の対向する分割ライン２３に、巻取筒１０の軸方向には移動できるが、半径方向には移動できない係止構造２４を設けて、一方のカバー筒２０を巻取筒１０に固定して、他方のカバー筒２０を係止構造２４で巻取筒１０に固定している。
以上のシャッター装置は、係止構造で隣接するカバー筒を連結するので、より簡単に横ずれ防止機構を巻取軸に固定できる特徴がある。
【０００９】
本発明のシャッター装置は、カバー筒２０が円筒を２分割してなる半円筒状で、このカバー筒２０に固定してなる鍔プレート２１が半円形で、２分割されたカバー筒２０が巻取筒１０に固定される状態で、半円形の鍔プレート２１を両端部で連結することができる。
以上のシャッター装置は、各々のカバー筒に固定している鍔プレートをその両端部で連結するので、鍔プレートを介してカバー筒を連結できる。また、鍔プレートを連結して一枚にできるので、シャッターカーテンの横ずれを確実に防止しながら巻取軸に巻き取りできる特徴も実現する。
【００１０】
本発明のシャッター装置は、鍔プレート２１を両端の連結部で互いに積層し、積層部２１Ｂを止ネジ２２で固定することができる。
以上のシャッター装置は、鍔プレートの両端を簡単な構造で確実に固定できる。
【００１１】
本発明のシャッター装置は、カバー筒２０を貫通し、かつ巻取筒１０にねじ込まれてなる止ネジ２５を介して、カバー筒２０を巻取筒１０に固定することができる。
以上のシャッター装置は、止ネジをカバー筒に貫通して巻取筒にねじ込むことで、極めて簡単に、しかも確実に巻取筒に横ずれ防止機構を固定できる特徴がある。
【００１２】
本発明のシャッター装置は、カバー筒２０を貫通し、かつ巻取筒１０の表面を押圧する止ネジ２５を介してカバー筒２０を巻取筒１０に固定することができる。
以上のシャッター装置は、巻取筒の最適な位置に鍔プレートを固定できる特徴がある。また、止ネジを巻取筒にねじ込んで固定する必要がないので、巻取筒に止ネジをねじ込む雌ねじ孔を設ける必要もなく、さらに簡単に鍔プレートを巻取筒に固定できる特徴がある。
【図面の簡単な説明】
【００１３】
【図１】従来のシャッター装置の断面図である。
【図２】本発明の一実施例にかかるシャッター装置の正面図である。
【図３】図２に示すシャッター装置の上部の右側面図である。
【図４】図２に示すシャッター装置の上部の一部拡大垂直縦断面図である。
【図５】図３に示すシャッター装置の一部拡大水平断面図である。
【図６】図２に示すシャッター装置の横ずれ防止機構を示す分解斜視図である。
【図７】カバー筒を巻取軸に固定する他の一例を示す一部拡大垂直横断面図である。
【図８】横ずれ防止機構を巻取軸に固定する工程を示す垂直横断面図である。
【図９】横ずれ防止機構を巻取軸に固定する工程を示す平面図である。
【図１０】横ずれ防止機構を巻取軸に固定する工程を示す正面図である。
【図１１】横ずれ防止機構を巻取軸に固定する工程を示す垂直横断面図である。
【図１２】横ずれ防止機構を巻取軸に固定する工程を示す平面図である。
【図１３】横ずれ防止機構を巻取軸に固定する工程を示す正面図である。
【発明を実施するための形態】
【００１４】
以下、本発明の実施例を図面に基づいて説明する。ただし、以下に示す実施例は、本発明の技術思想を具体化するためのシャッター装置を例示するものであって、本発明はシャッター装置を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１５】
図２の正面図、図３の側面図、図４と図５の断面図に示すシャッター装置は、シャッターカーテン１と、このシャッターカーテン１を巻き取る巻取軸２と、この巻取軸２を水平姿勢として回転できるように連結しているブラケット３と、巻取軸２を駆動してシャッターカーテン１を巻き取り、また繰り出す駆動機構４と、巻取軸２から繰り出されるシャッターカーテン１の両側に設けられて、シャッターカーテン１を上下方向にガイドする一対のガイドレール５と、巻取軸２に巻き取られるシャッターカーテン１の横ずれを防止する横ずれ防止機構６とを備える。
【００１６】
シャッターカーテン１は、図２に示すように、水平方向に延びる複数のスラット７を互いに折曲できるように連結している。スラット７は水平方向に細長い形状で、その上縁と下縁とを互いに引っ掛ける構造として折曲できるように連結している。この構造で連結されたスラット７は、水平方向の位置ずれを皆無にはできず、わずかに水平方向にずれる特性がある。水平方向にずれるスラット７は、シャッターカーテン１を巻取軸２に巻き取り、また繰り出すときに水平方向にずれて、シャッターカーテン１の両側に配置しているガイドレール５を擦って大きな騒音を発生させる。スラット７を位置ずれしないように、巻取軸２に巻き取り、また巻き取ったシャッターカーテン１を繰り出すと、スラット７の両端がガイドレール５を擦って大きな騒音を発することがない。
【００１７】
ガイドレール５は、金属板を底プレート５Ａの両側にガイド側壁５Ｂを設けている溝型に加工したもので、溝内にスラット７を案内して、シャッターカーテン１を上下に移動させる。シャッターカーテン１の両側に対向して配置されるガイドレール５は、溝の開口部を対向する姿勢に配置されて、シャッターカーテン１のスラット７の端部を、底プレート５Ａと両側のガイド側壁５Ｂの内側に沿って、上下に移動するように案内する。ガイドレール５は、建物に固定され、あるいは脱着できるように連結されて、シャッターカーテン１を垂直方向に移動させる。
【００１８】
本発明のシャッター装置は、シャッターカーテン１のスラット７の横ずれを防止するために、巻取軸２に横ずれ防止機構６を設けている。巻取軸２は、シャッターカーテン１を巻き取る巻取筒１０と、この巻取筒１０の両端に巻取筒１０と同軸に固定されて、ブラケット３に回転できるように連結してなる回転軸１１とを備える。回転軸１１は、その一端を駆動機構４に連結している。巻取軸２は、回転軸１１を駆動機構４で回転して、回転軸１１に固定している巻取筒１０を正逆に回転して、シャッターカーテン１を巻き取り、また、巻き取ったシャッターカーテン１を繰り出す。
【００１９】
巻取筒１０は、シャッターカーテン１を巻き取ることができる外径の円筒で、これと同軸に、すなわち巻取筒１０の中心に回転軸１１を固定している。回転軸１１よりも太い巻取筒１０は、回転軸１１との間に、金属製の円盤やアーム等の連結金具１２を配置し、この連結金具１２を巻取筒１０と回転軸１１に溶接して固定している。
【００２０】
回転軸１１は、巻取筒１０の両端から突出するように固定され、突出部を軸受け１３を介して回転できるようにブラケット３に連結している。回転軸１１でもって、巻取軸２は水平姿勢となるようにブラケット３に連結される。
【００２１】
巻取軸２を駆動する駆動機構４は、正逆に回転する減速モータ１４を備える。減速モータ１４は、回転軸１１の一端に固定しているスプロケット１５と、減速モータ１４の回転軸１４Ａに固定しているスプロケット１６と、両方のスプロケット１５、１６に連結しているチェーン１７とを介して回転軸１１に連結される。減速モータ１４が正転して、正転される巻取軸２でシャッターカーテン１を巻き取り、反対に減速モータ１４が逆転して巻き取ったシャッターカーテン１を巻取軸２から繰り出すようにしている。
【００２２】
横ずれ防止機構６は、巻取軸２に固定されるカバー筒２０と、このカバー筒２０に固定している鍔プレート２１を備え、鍔プレート２１でもって、シャッターカーテン１のスラット７を揃えて巻取軸２に巻き取る。鍔プレート２１は、ガイドレール５の溝に沿って巻き上げられるガイドレール５の横ずれを防止しながらスラット７を巻取筒１０に巻き取る。この鍔プレート２１は、ガイドレール５の底プレート５Ａの真上よりも内側に固定される。鍔プレート２１に沿って巻かれたスラット７が、ガイドレール５の底プレート５Ａに接触しないで繰り出されるようにするためである。図４において、底プレート５Ａと鍔プレート２１との垂直面内における間隔（ｄ）は、例えば５ｍｍ〜２０ｍｍに設定される。この間隔（ｄ）が狭すぎるとシャッターカーテン１を繰り出すときに、スラット７がガイドレール５の底プレート５Ａに接触して大きな騒音を発生するからである。したがって、間隔（ｄ）はスラット７の横ずれを防止しながら、シャッターカーテン１をスムーズに巻取筒１０に巻き取りでき、かつガイドレール５の底プレート５Ａを擦らないように繰り出しできる位置に調整される。
【００２３】
図４と図５の鍔プレート２１は、その外周縁に沿って、外側に折曲しているガイド部２１Ａを設けている。ガイド部２１Ａは、外側に５度〜３０度折曲されて、シャッターカーテン１のスラット７を揃えてスムーズに巻取筒１０に案内する。
【００２４】
横ずれ防止機構６は、カバー筒２０を介して鍔プレート２１を巻取軸２に固定している。カバー筒２０は、図６に示すように、巻取筒１０の外周面に沿う形状であって、巻取筒１０の軸方向に延びる分割ライン２３で分割している。図の巻取軸２は、巻取筒１０を円筒状とするので、カバー筒２０を円筒の外側に沿う湾曲面としている。さらに、図のカバー筒２０は、２分割された構造とするので、カバー筒２０を半円筒状としている。ただし、本発明のシャッター装置は、カバー筒２０を２分割する構造には特定せず、３分割以上に分割することもできる。
【００２５】
カバー筒２０が巻取筒１０の端部に固定されて、鍔プレート２１が巻取筒１０に固定される。図６のカバー筒２０は、簡単に巻取筒１０に固定できるように、カバー筒２０の対向する分割ライン２３に、巻取筒１０の軸方向には移動できるが、半径方向には移動できない係止構造２４を設けている。図のカバー筒２０は、係止片２４Ａと、この係止片２４Ａを案内して引っ掛ける引っ掛け凹部２４Ｂとで係止構造２４を設けている。係止片２４Ａはフック状で、一方のカバー筒２０の分割ライン２３から突出して設けられる。引っ掛け凹部２４Ｂは、フック状の係止片２４Ａを円筒の軸方向に移動でき、かつ係止方向に移動して係止できるように、フック状の係止片２４Ａの引っ掛け凸部２４Ｃを開口部に設けている。この係止構造２４は、係止片２４Ａを引っ掛け凹部２４Ｂに案内し、一方のカバー筒２０を軸方向に移動させて、両方のカバー筒２０を係止構造２４で外れないように連結できる。
【００２６】
係止構造２４で連結されるカバー筒２０は、図４と図５に示すように、タッピングビス２５Ａ等の止ネジ２５を介して巻取筒１０に固定される。係止構造２４で連結されるカバー筒２０は、一方のカバー筒２０を巻取筒１０に固定して、他方のカバー筒２０を巻取筒１０に固定できる。ただし、カバー筒を係止状態としながら両方のカバー筒を巻取筒に固定することもできるのは言うまでもない。
【００２７】
カバー筒２０は、タッピングビス２５Ａ等の止ネジ２５を貫通するために、円筒の軸方向に延びるスリット２６を設けている。このスリット２６にタッピングビス２５Ａを挿入し、タッピングビス２５Ａを巻取筒１０にねじ込んで巻取筒１０に固定される。このカバー筒２０は、タッピングビス２５Ａをスリット２６に挿入する状態で長手方向に移動させて、鍔プレート２１の固定位置を調整することができる。すなわち、鍔プレート２１を最適な位置に調整して、タッピングビス２５Ａをねじ込んで巻取筒１０に固定できる。タッピングビス２５Ａは、カバー筒２０に雌ねじ孔を加工する必要がなく、カバー筒２０に孔を開けて、この孔にタッピングビスをねじ込んでカバー筒２０を固定できる。ただし、巻取筒に雌ねじ孔を設けて、この雌ねじ孔に止ネジをねじ込んでカバー筒を固定することもできる。
【００２８】
以上のシャッター装置は、巻取筒１０の最適な位置に鍔プレート２１を固定できる特徴がある。また、止ネジ２５をカバー筒２０にねじ込んで固定する必要がないので、カバー筒２０に止ネジ２５をねじ込む雌ねじ孔を設ける必要もなく、さらに簡単に鍔プレート２１をカバー筒２０に固定できる特徴がある。
【００２９】
さらに、係止構造２４で連結しているカバー筒２０は、図７の一部拡大断面図に示すように、カバー筒２０を貫通して、巻取筒１０の表面を押圧する押圧ネジ２５Ｂである止ネジ２５を介して巻取筒１０に固定することもできる。図のカバー筒２０は、押圧ネジ２５Ｂである止ネジ２５をねじ込む雌ねじ孔２７を設けている。ただ、カバー筒は、押圧ネジをねじ込む雌ねじ孔を設けたナットを表面に固定することもできる。雌ねじ孔２７にねじ込まれる押圧ネジ２５Ｂは、その先端で巻取筒１０の表面を押圧して、カバー筒２０を巻取筒１０に固定する。この構造のカバー筒２０は、巻取筒１０を加工することなく、カバー筒２０を巻取筒１０に固定できる。また、押圧ネジ２５Ｂを緩めてカバー筒２０を巻取筒１０に沿って移動できるので、鍔プレート２１を最適位置に固定できる特徴もある。
【００３０】
図６の横ずれ防止機構６は、カバー筒２０を、円筒を２分割した半円筒状として、このカバー筒２０に固定している鍔プレート２１を半円形としている。この横ずれ防止機構６は、２分割されたカバー筒２０を巻取筒１０に固定する状態で、半円形の鍔プレート２１を両端部で連結して、１枚の円形の鍔プレート２１としている。図の鍔プレート２１は、両端の連結部２１Ａを互いに積層して、積層部２１Ｂを止ネジ２２で固定している。この構造は、鍔プレート２１の両端を簡単な構造で確実に固定できる。
【００３１】
以上のシャッター装置は、巻取軸２の両端に横ずれ防止機構６の鍔プレート２１を固定している。このシャッター装置は、スラット７の左右の横ずれを防止してシャッターカーテン１を巻取軸２に巻き取りでき、また繰り出しできる。ただ、本発明のシャッター装置は、巻取軸の片方の端部に鍔プレートを固定することもできる。巻取軸の片方に鍔プレートを固定している巻取軸は、シャッターカーテンの一方の横ずれを防止するので、この鍔プレートに沿ってシャッターカーテンを巻き取る構造として、スラットがガイドレールを擦るのを少なくできる。
【００３２】
図２ないし図６の横ずれ防止機構６は、図８ないし図１３に示すようにして、巻取軸２に固定する。
図８に示すように、シャッターカーテン１のスラット７を巻取軸２から繰り出した状態とする。この状態は、シャッターカーテン１を全開にする状態からさらに繰り出して、上端のスラット７の固定部１８を真上よりもさらに繰り出した位置とする。この状態で、図８の矢印で示すように、片方のカバー筒２０をスラット７と巻取筒１０との間に巻き込むように挿入する。ここに挿入されるカバー筒２０は、スラット７と巻取筒１０との間に挿入できるように、あらかじめスラット７の固定部１８を案内する切欠部（図示せず）を設けている。
【００３３】
この状態で、スラット７と巻取筒１０との間に挿入されるカバー筒２０は、図９と図１０に示すように、鍔プレート２１をガイドレール５の底プレート５Ａから所定の間隔（ｄ）だけ内側に配置するように位置させる。
【００３４】
その後、図１１に示すように、他方のカバー筒２０を巻取筒１０にセットする。後からセットされるカバー筒２０は、図１２の矢印で示すように、軸方向に移動させて、先にセットしているカバー筒２０に係止構造２４で連結する。その後、後からセットしたカバー筒２０のスリット２６にタッピングビス２５Ａをねじ込んで、これを巻取筒１０に固定する。その後、図１３に示すように、鍔プレート２１の両端の積層部２１Ｂを止ネジ２２で固定して１枚の鍔プレート２１に連結する。
【００３５】
以上の方法で、巻取軸２の両端に、あるいは一端に横ずれ防止機構６が固定される。その後、巻取軸２を駆動して、シャッターカーテン１を巻取軸２に巻き取ると、シャッターカーテン１のスラット７は、鍔プレート２１でもって横ずれが防止されながら、巻取軸２に巻き取られる。また、巻き取ったシャッターカーテン１を繰り出す状態においても、シャッターカーテン１のスラット７は、鍔プレート２１でもって横ずれが防止されながら、巻取軸２から繰り出される。
【符号の説明】
【００３６】
１…シャッターカーテン
２…巻取軸
３…ブラケット
４…駆動機構
５…ガイドレール                    ５Ａ…底プレート
５Ｂ…ガイド側壁
６…横ずれ防止機構
７…スラット
１０…巻取筒
１１…回転軸
１２…連結金具
１３…軸受け
１４…減速モータ                    １４Ａ…回転軸
１５…スプロケット
１６…スプロケット
１７…チェーン
１８…固定部
２０…カバー筒
２１…鍔プレート                    ２１Ａ…ガイド部
２１Ｂ…積層部
２２…止ネジ
２３…分割ライン
２４…係止構造                      ２４Ａ…係止片
２４Ｂ…引っ掛け凹部
２４Ｃ…引っ掛け凸部
２５…止ネジ                        ２５Ａ…タッピングビス
２５Ｂ…押圧ネジ
２６…スリット
２７…雌ねじ孔
９１…横ずれ防止機構
９２…巻取軸
９３…巻取筒
９４…回転軸
９５…鍔プレート                    ９５Ａ…貫通孔
９６…ボス部材                      ９６Ａ…側面
【図１】
0005715446.tif 000002
【図２】
0005715446.tif 000003
【図３】
0005715446.tif 000004
【図４】
0005715446.tif 000005
【図５】
0005715446.tif 000006
【図６】
0005715446.tif 000007
【図７】
0005715446.tif 000008
【図８】
0005715446.tif 000009
【図９】
0005715446.tif 000010
【図１０】
0005715446.tif 000011
【図１１】
0005715446.tif 000012
【図１２】
0005715446.tif 000013
【図１３】
0005715446.tif 000014